(57)【要約】【課題】本発明は磁気カード、ＩＣカード等の重要情報カード（銀行カード、クレジットカード、個人情報カード等）を安全に携帯できるカード収納ケースを得るにある。【解決手段】磁気カード、ＩＣカード等の重要情報カードを磁気シールド材、もしくは擬似情報が記録された部材で構成されたカードケースに入れ、外部からスキャンニングされるのを防ぎ安全に携帯する。【選択図】図１
2006218241.tif 000002
【特許請求の範囲】
【請求項１】
磁気カード、ＩＣカード等の磁気記録を有するカード収納部を有するカード収納構成物本体と、前期カード収納部に設けられた外部からのスキャンニングを防止する磁気シールド材とからなるスキャンニング防止収納構成物
【請求項２】
磁気カード、ＩＣカード等の磁気記録を有するカード収納部を有するカード収納構成物本体と、前期カード収納部に設けられた外部からのスキャンニングを防止する擬似記録情報とからなるスキャンニング防止収納構成物
【請求項３】
カード収納構成物とそれを施錠できる鍵とからなることを特徴とする請求項１又は２記載のスキャンニング防止収納構成物
【請求項４】
カード収納構成物が財布、カードケース、ポーチ、衣服、アタッシュケース等他の機能構成物であることを特徴とする請求項１又は２記載のスキャンニング防止収納構成物
【発明の詳細な説明】
【技術分野】
【技術分野】
【０００１】  この発明はカード収納ケース並びにカード収納ケースを有する構成物に関する。
【背景技術】
【０００２】  フロッピーデスク等を電磁波から守り劣化を防ぐ技術は鉄板、鉛板等で磁気情報体を挟み込む板とプラスチックのケースで構成されている。【０００３】したがって、重い、大きい、携帯に不便、磁気カードの情報を守る携帯用品として適さないという欠点があった
最近のセンサー開発は目覚しく、カードに非接触で情報をコピーできるためクレジットカード、銀行カード等の情報を盗まれてしまう危険がある。
その情報に対して直接悪用しなくても個人情報の漏洩など二次的に悪用されてしまう危険性もある。
大規模な情報の漏洩は社会的パニックを起こす可能性もある。
という危険があり、従来の技術は、現代の技術に適用できないという欠点があった。
【発明の開示】
【発明が解決しようとする課題】
【０００４】本発明は以上のような従来の欠点に鑑み、クレジットカード、銀行カードなどの磁気カードの情報を安全に持ち運びできる磁気カード、ＩＣカード等のカード収納容器を提供することを目的としている【０００５】  本発明の前期ならびにそのほかの目的と新規な特徴は次の説明を添付図面と照らし合わせて読むとより完全に明らかになるであろう。
ただし、図面はもっぱら解説のためのものであって、本発明の技術的範囲を限定するものではない。
【課題を解決するための手段】
【０００６】  上記目的を達成するために，本発明はクレジットカード，銀行カード、ＩＣカードなどの磁気カードの情報をスキャンニングからプロテクトしながら安全に携帯するために，カード収納ケースと軽量の磁気シールド材、カードの磁気情報以外の擬似磁気情報、ケースを空けるための鍵  等で構成されており、もしくはその外側の財布、携帯バック、携帯ポーチ、カバン等で構成されている
【発明の効果】
【０００７】  以上の説明から明らかなように、本発明にあっては次に列挙する効果が得られる。
（１）
【請求項１】
の構成要件とで構成されているので、銀行カードクレジットカード、ＩＣカード等の磁気情報カードを、磁気シールド材が内封されたカードケースもしくは財布等に入れると、外部との電磁的接触を避ける事ができる。したがって重要磁気情報を安全に携帯できる。
【０００８】（２）
【請求項２】
の構成要件とで構成されているので、銀行カード、クレジットカード、ＩＣカード等の磁気情報カードを、擬似磁気情報が入っている磁気テープ、磁気シール等を内封された財布、カードケース等の携帯ケースに入れ、そのケースから外部には銀行カード、クレジットカード等の重要磁気情報以外の擬似磁気情報を発信または読み取らせることが出来る。したがって重要磁気情報を安全に携帯できる。
【０００９】  （３）
【請求項３】
においては銀行カード、クレジットカード、ＩＣカード等の重要磁気情報を磁気が外部に漏れず外部からスキャンニングできない収納ケースに入れて、且つ施錠できるので収納ケースから磁気カード、ＩＣカードを取り出してスキャンニングすることが出来ず、磁気カード、ＩＣカード等を安心して携帯又は保管できる。
【００１０】  （４）
【請求項４】
においては磁気カード、ＩＣカード等の磁気情報カードを，磁気シールド材が内封され，もしくはその外側に任意の磁気情報が入っている磁気テープを内封された財布、カードケース等に入れ、そのケースから外部には磁気カード、ＩＣカード等の重要磁気情報がスキャンニングされない。もしくは重要磁気情報以外の磁気情報を発信または読み取らせることが出来る。したがって重要磁気情報を安全に携帯できる。
【発明を実施するための最良の形態】
【００１１】  以下、本発明の第１の実施の形態について説明する。本発明は磁気カードやＩＣカードを収納するカード収納ケース２である。カード収納ケース２は、略方形状の表部材３ｂと裏部材３ａとで構成されており、重ねた状態で上辺以外の周辺を縫合手段や接着手段により結合した結合部４となったポケット形状となっている。この際、表部材３ｂと裏部材３ａは収納した磁気カード１の情報を外部からスキャンニングされるのを防ぐ磁気を遮断する特性を有するものである。具体的には電磁波シールドテープ、高導電性プラスチックシート、電磁波を通さない金属シート等が利用可能である。本発明は以上の構造よりなる。このカード収納ケース２に磁気カード、ＩＣカード等１を収納し携帯することで、外部から不正なスキャンニングがなされた際にこれを無効にし、情報を保護することが可能になる。【００１２】  以下、本発明の第２の実施の形態について説明する。図３の事例においては、
カード収納ケース２は表裏部材を２重構造にしている。表部材３ｂは皮や、ビニール、金属等、従来カードケースに用いられる素材であり、磁気遮断の効果は問わない。
この表部材３ｂの裏面には磁気シールド５が接着もしくは縫合等により、表部材と一体となるように設けられている。同様に裏部材３ａの裏面にも磁気シールド５が設けられている。本発明は以上の構造よりなり、前期事例同様の作用効果を得ることが可能である。磁気シールド５に関しては、磁気遮断特性を有した上で、収納された磁気カードの磁気記憶部のデーターと同形式で異なる情報の擬似データーが具備されたものであることも可能である。この際、収納した磁気カード、もしくはＩＣカード１の情報を保護すると共に、擬似情報を読み込ませ、スキャンニングを行っている不正者をだますことが可能である。更に、この擬似情報をあらかじめ磁気カードのホストコンピューターに入れておき、これにより不正者を判断し通報などで捕まえることも可能である。【００１３】  以下、本発明の第３の実施の形態について説明する。図４，５の事例においてはカード収納ケース２は表裏部材を３重構造にしている。表部材３ｂａと３ａａは皮や布あるいはビニールや金属等、本来カードケースに用いる素材である。また内側部材である３ａｂと３ｂｂは皮や布やビニール等、本来ケースの内側にカードの保護もしくは化粧に使われるもので磁気遮断の効果は問わない。３ｂａと３ｂｂの中間にある５は第２の実施の形態と同じ方法で接合しており、同じ機能を有している．同様に３ａａと３ａｂの中間にも磁気シールド５が設けられている。【００１４】  以下本発明の第４の実施の形態について説明する。図６，７の事例においてカード収納ケース２は表裏部材を４重構造にしている。  ここでは表部材３ｂａと内部材３ｂｂの間の磁気カードに近い側に磁気シールド材５をその外側に前期と同じ機能を有した擬似磁気データ６が機能を分けて縫合手段や圧着手段等で結合している。同様に３ａｂと３ａａの間にも５と６が同じ順序で設けられている。機能的には前記と同様である。【００１５】  以下、本発明の第５の実施の形態について説明する。図８，９の本発明のカードケース７は電磁波をより遮断するために蓋９をつけたものである。表部材８ｂ、裏部材８ａ、蓋９は第１から第４の実施の形態を利用したものである。【００１６】  以下、本発明の第６の実施の形態について説明する。図１０，１１の本発明のカードケース１０は他人に空けられないように鍵１１を取り付けたものである。尚、鍵はどの位置に取り付けても良い。第１から第５までの実施の形態を利用している。【００１７】  以下、応用利用物について説明する。【００１８】  以下、本発明の第７の実施の形態について説明する。図１２のカード及び小物入れ１２はカード以外の収納も出来るようにバック自体を大きく作ったものである。尚バッグはハードケースでも、ソフトケースでも、大きくても、小さくても良い。持ちやすいように吊り下げ用のベルトや取手１３を設けたものも考えられる。第１から第６までの実施の形態を利用したものである。【００１９】  以下本発明の第８の実施の形態について説明する。図１３に見られるように本発明は第１から第６までの実施の形態を財布に応用した例である。財布１４の表部材８ｂと裏部材８ａは第１から第６までの構造を利用したものであり、紙幣１５を入れる場所に磁気カード、又は��Ｃカード１を収納することが出来る。また図１３にある２のように独立して任意の位置にカード収納ケース、もしくはカード収納ケースの一面の構造を取り付けることも出来る。【００２０】  以下、本発明の第９の実施の形態について説明する。図１４の本発明は第１から第６までの実施の形態を、複数のカードを収納できるカードケース１６に利用したものである。カードケースの表部材８ｂと裏部材８ａは第１から第６迄の実施の形態を利用しており、複数のカードを安全に収納できる。もしくは図１４の２の様に任意の場所に独立してカード収納ケース２、もしくはカード収納ケースの一面を貼り付けることも出来る。このカード収納ケースに関しては通常構造のものでも良いが、当該発明の機構を利用した場合より効果をあげる。【００２１】  以下、本発明の第１０の実施の形態について説明する。図１５の本発明はポシェット１７に利用した例であるも。ポシェット自体が第１から第６までの実施の形態を利用している。もしくは図１５の２の様に独立して任意の場所にカード収納ケース２を貼りつけることも可能である。このカード収納ケースに関しては通常構造の物でも良いが、当該発明の機構を利用した場合より効果をあげる。【００２２】  以下、本発明の第１１の実施の形態について説明する。図１６の本発明はアタッシュケース１８に利用した例である。第１から第６までの構造を利用している。もしくは図１６の２のように任意の場所にカード収納ケースを貼り付けることも出来る。このカード収納ケースに関しては通常構造のものでも良いが、当該発明の機構を利用した場合より効果をあげる。【００２３】  以下、本発明の第１２の実施の形態について説明する。図１７の本発明はカード収納ケースを衣服に利用した例である。衣服の一部に当該は詰め江のカード収納ケース２が縫合、又は圧着されている。第１から第６までの構造を利用している。
【図面の簡単な説明】
【００２４】
【図１】本発明の第１の実施の形態の要部切欠き斜面図
【図２】本発明の第１の実施の形態の側面図
【図３】本発明の第２の実施の形態の要部切欠き斜面図
【図４】本発明の第３の実施の形態の要部切欠き斜面図
【図５】本発明の第３の実施の形態の側面図
【図６】本発明の第４の実施の形態の要部切欠き斜面図
【図７】本発明の第４の実施の形態の側面図
【図８】本発明の第５の実施の形態の要部切欠き斜面図
【図９】本発明の第５の実施の形態の断面図
【図１０】本発明の第６の実施の形態の要部切かき斜面図
【図１１】本発明の第６の実施の形態の要部切欠き斜面図
【図１２】本発明の第７の実施の形態の要部切り欠き斜面図
【図１３】本発明の第８の実施の形態の要部切欠き斜面図
【図１４】本発明の第９の実施の形態の要部切欠き正面図
【図１５】本発明の第１０の実施の形態の要部切欠き正面図
【図１６】本発明の第１１の実施の形態の斜面図
【図１７】本発明の第１２の実施の形態の正面図
【符号の説明】
【００２５】  １：磁気カード等              ２：カード収納ケース
３：ケース部分表示            ４：接合部
５：磁気シールド材            ６：擬似磁気情報材
７：蓋付きカード収納ケース    ８：ケース部分表示
９：蓋                        １０：鍵つきカード収納ケース
１１：鍵
１２：カードケース等、紐付き、取手つき
１３：ベルト、取手            １４：財布型カード収納ケース
１５：紙幣                    １６：カードケース型カード収納ケース
１７：携帯ポーチ用カード収納ケース
１８：アタッシュケース型カード収納ケース
１９：カード収納ケース付き衣服
【図１】
2006218241.tif 000003
【図２】
2006218241.tif 000004
【図３】
2006218241.tif 000005
【図４】
2006218241.tif 000006
【図５】
2006218241.tif 000007
【図６】
2006218241.tif 000008
【図７】
2006218241.tif 000009
【図８】
2006218241.tif 000010
【図９】
2006218241.tif 000011
【図１０】
2006218241.tif 000012
【図１１】
2006218241.tif 000013
【図１２】
2006218241.tif 000014
【図１３】
2006218241.tif 000015
【図１４】
2006218241.tif 000016
【図１５】
2006218241.tif 000017
【図１６】
2006218241.tif 000018
【図１７】
2006218241.tif 000019